(57)【特許請求の範囲】
【請求項１】
携帯端末と、
照明パターンをそれぞれ設定可能な複数の灯具と、
前記灯具に対応付けられた、自身の識別子を前記携帯端末に送信する位置確認用アクセスポイントと、
前記携帯端末とデータ通信を行う通信用アクセスポイントと、
前記灯具と前記位置確認用アクセスポイントとの位置関係を記憶するコントローラと、を備える照明制御システムであって、
前記携帯端末は、前記位置確認用アクセスポイントの識別子を取得すると、前記通信用アクセスポイントを通じて、前記識別子を前記コントローラに送信し、
前記コントローラは、前記識別子を受信すると、前記位置関係に基づき選択した前記灯具に対し、前記携帯端末のユーザ好みの照明パターンを設定し、
複数の前記位置確認用アクセスポイントからの信号強度は、前記通信用アクセスポイントからの信号強度に比して弱い
ことを特徴とする照明制御システム。
【請求項２】
複数の前記位置確認用アクセスポイントからの信号は、それぞれが重ならないように、配置されている、ことを特徴とする請求項１に記載の照明制御システム。
【請求項３】
前記位置確認用アクセスポイントは、１つが、複数の前記灯具と対応付けられている、ことを特徴とする請求項１または２に記載の照明制御システム。
【請求項４】
前記位置確認用アクセスポイントと、前記通信用アクセスポイントとは、同じ無線方式により、前記携帯端末との通信を行う、ことを特徴とする請求項１から３のいずれか１項に記載の照明制御システム。
【請求項５】
携帯端末と、
照明パターンをそれぞれ設定可能な複数の灯具と、
前記灯具に対応付けられた、自身の識別子を前記携帯端末に送信する位置確認用アクセスポイントと、
前記携帯端末とデータ通信を行う通信用アクセスポイントと、
前記灯具と前記位置確認用アクセスポイントとの位置関係を記憶するコントローラと、を備え、複数の前記位置確認用アクセスポイントからの信号強度は、前記通信用アクセスポイントからの信号強度に比して弱い照明制御システムにおける照明制御方法であって、
前記携帯端末が、前記位置確認用アクセスポイントの識別子を取得すると、前記通信用アクセスポイントを通じて、前記識別子を前記コントローラに送信するステップと、
前記コントローラが、前記識別子を受信すると、前記位置関係に基づき選択した前記灯具に対し、前記携帯端末のユーザ好みの照明パターンを設定するステップと、
を含むことを特徴とする照明制御方法。
【請求項６】
前記位置確認用アクセスポイントと、前記通信用アクセスポイントとは、同じ無線方式により、前記携帯端末との通信を行う、ことを特徴とする請求項５に記載の照明制御方法。
【発明の詳細な説明】
【技術分野】
【０００１】
この発明は、照明制御システム及び照明制御方法に関し、特に、ユーザ個別に照明の状態を自動的に設定可能な照明制御システム及び照明制御方法に関する。
【背景技術】
【０００２】
一般に、建物の室内には、個別のアドレスを割当てられた複数の灯具が設けられ、各灯具の点灯／消灯などは、例えばパソコンモニター上などから管理者が個々に設定を行うことができる。ここで、部屋の用途は様々であり、複数の灯具の設定を用途に合わせて動的に変更可能なシステムが期待されている。
【０００３】
従来方式として、各灯具および各操作機器のアドレスが登録され、間仕切りが配置される位置をセンサによって検知し、間仕切りにより形成される部屋内に対応するアドレスを有する灯具とスイッチ等の操作機器とを組み合わせることが提案されている（特許文献１、２参照）。
【先行技術文献】
【特許文献】
【０００４】
【特許文献１】特開２００９−１９１５７５号公報
【特許文献２】特開２０１０−２５１９３８号公報
【発明の概要】
【発明が解決しようとする課題】
【０００５】
ところで、ＬＥＤ光源のように、点灯／消灯だけではなく、照明光の調光／調色といった照明パターンを設定できる灯具の場合、例えば室内において、ユーザが存在する位置に対し、そのユーザごとの照明状態が自動的に設定されることが好ましい。ここで、例えば人感センサを用いた場合、ユーザの存在を感知することはできるが、個々のユーザまでは判定できない。
【０００６】
したがって、かかる点に鑑みてなされた本発明の目的は、ユーザの位置に応じて、ユーザ個別に照明の状態を自動的に設定可能な照明制御システム及び照明制御方法を提供することにある。
【課題を解決するための手段】
【０００７】
上述した諸課題を解決すべく、本発明に係る照明制御システムは、
携帯端末と、
照明パターンをそれぞれ設定可能な複数の灯具と、
前記灯具に対応付けられた、自身の識別子を前記携帯端末に送信する位置確認用アクセスポイントと、
前記携帯端末とデータ通信を行う通信用アクセスポイントと、
前記灯具と前記位置確認用アクセスポイントとの位置関係を記憶するコントローラと、を備える照明制御システムであって、
前記携帯端末は、前記位置確認用アクセスポイントの識別子を取得すると、前記通信用アクセスポイントを通じて、前記識別子を前記コントローラに送信し、
前記コントローラは、前記識別子を受信すると、前記位置関係に基づき選択した前記灯具に対し、前記携帯端末のユーザ好みの照明パターンを設定し、
複数の前記位置確認用アクセスポイントからの信号強度は、前記通信用アクセスポイントからの信号強度に比して弱い
ことを特徴とする。
【０００８】
また、複数の前記位置確認用アクセスポイントからの信号は、それぞれが重ならないように、配置されている、ことが好ましい。
また、前記位置確認用アクセスポイントは、１つが、複数の前記灯具と対応付けられている、ことが好ましい。
また、前記位置確認用アクセスポイントと、前記通信用アクセスポイントとは、同じ無線方式により、前記携帯端末との通信を行う、ことが好ましい。
【００１０】
また、上述した諸課題を解決すべく、本発明に係る照明制御方法は、
携帯端末と、
照明パターンをそれぞれ設定可能な複数の灯具と、
前記灯具に対応付けられた、自身の識別子を前記携帯端末に送信する位置確認用アクセスポイントと、
前記携帯端末とデータ通信を行う通信用アクセスポイントと、
前記灯具と前記位置確認用アクセスポイントとの位置関係を記憶するコントローラと、を備え、複数の前記位置確認用アクセスポイントからの信号強度は、前記通信用アクセスポイントからの信号強度に比して弱い照明制御システムにおける照明制御方法であって、
前記携帯端末が、前記位置確認用アクセスポイントの識別子を取得すると、前記通信用アクセスポイントを通じて、前記識別子を前記コントローラに送信するステップと、
前記コントローラが、前記識別子を受信すると、前記位置関係に基づき選択した前記灯具に対し、前記携帯端末のユーザ好みの照明パターンを設定するステップと、
を含むことを特徴とする。
【００１１】
また、前記位置確認用アクセスポイントと、前記通信用アクセスポイントとは、同じ無線方式により、前記携帯端末との通信を行う、ことが好ましい。
【発明の効果】
【００１３】
本発明に係る照明制御システム及び照明制御方法によれば、ユーザの位置に応じて、ユーザ好みの照明パターンを自動的に設定することができる。
【図面の簡単な説明】
【００１４】
【図１】本発明の一実施形態に係る照明制御システムの構成を示す図である。
【図２】位置確認用アクセスポイントの配置の変形例を示す図である。
【発明を実施するための形態】
【００１５】
以降、諸図面を参照しながら、本発明の実施態様を詳細に説明する。
【００１６】
図１は、本発明の一実施形態に係る照明制御システム１００の構成を示す図である。照明制御システム１００は、コントローラ１０と、灯具２１〜２６と、位置確認用アクセスポイント３１〜３６と、通信用アクセスポイント４０と、携帯端末５０とを含んで構成される。コントローラ１０は、照明設定記憶部１１及び位置関係記憶部１２を有し、灯具２１〜２６と、位置確認用アクセスポイント３１〜３６と、通信用アクセスポイント４０とのそれぞれに接続される。
【００１７】
灯具２１〜２６は、例えばＬＥＤ光源などの照明光源を有しており、点灯／消灯あるいは、調光／調色といった照明パターンを調整することができる。なお、灯具２１〜２６には、コントローラ１０による操作ため、個別のアドレスが設定されている。そして、各灯具２１〜２６は建物内の部屋の天井等に固定設置されている。
【００１８】
位置確認用アクセスポイント３１〜３６は、例えばＷｉＦｉ（登録商標）あるいはＢｌｕｅｔｏｏｔｈ（登録商標）などの無線通信用アクセスポイントであり、各灯具２１〜２６の設置される部屋と同じ室内に固定的に設置されるものである。位置確認用アクセスポイント３１〜３６は、携帯端末５０が受信可能な無線方式により、自身の識別子ＩＤ１〜ＩＤ６（例えばＳＳＩＤ）を含むブロードキャストメッセージを送信する。ここで、位置確認用アクセスポイント３１〜３６は、指向性が強く、かつ、通信用アクセスポイント４０に比べて充分弱く、なおかつ各位置確認用アクセスポイント３１〜３６の直下においては携帯端末５０が検出可能な程度の弱い電波により自身の識別子ＩＤ１〜ＩＤ６を含むブロードキャストメッセージを送信することが好ましい。特に、送信出力としては、携帯端末５０が各位置確認用アクセスポイント３１〜３６のいずれかからのブロードキャストメッセージを検出しても、ハンドオーバ必要と判断しない程度の信号強度となっていることが望ましい。これは、ブロードキャストメッセージの受信範囲を各位置確認用アクセスポイント３１〜３６の直下といった所定範囲内に留めるとともに、各位置確認用アクセスポイント３１〜３６へハンドオーバしてしまわないように構成することにより、通信用アクセスポイント４０によるデータ通信への影響を低減するためである。
【００１９】
通信用アクセスポイント４０は、例えばＷｉＦｉあるいはＢｌｕｅｔｏｏｔｈなどの無線通信用アクセスポイントであり、室内に固定的に設置したり、設置位置を動的に変更したりすることが可能である。通信用アクセスポイント４０は、携帯端末５０が受信可能な無線方式により自身の識別子ＣＯＭを含むブロードキャストメッセージを送信するとともに、自身を接続先とする携帯端末５０とデータ通信を行うものである。ここで、通信用アクセスポイント４０は、位置確認用アクセスポイント３１〜３６に比べ、充分に強い電波により無線通信を行うことが好ましい。これは、通信用アクセスポイント４０と携帯端末５０との無線通信の通信範囲を広げ、かつ、より通信品質を高めるためである。また、携帯端末５０が通信用アクセスポイント４０及び位置確認用アクセスポイント３１〜３６からのブロードキャストメッセージを共に受信した場合には、携帯端末５０には、位置確認用アクセスポイント３１〜３６からのブロードキャストメッセージの信号強度がハンドオーバ対象にならない程度に微弱であることに対し、通信用アクセスポイント４０からのブロードキャストメッセージの信号強度が充分に強いため、通信用アクセスポイント４０を接続先として選択することとなる。
【００２０】
なお、位置確認用アクセスポイント３１〜３６と、通信用アクセスポイント４０とは、同じ無線方式（例えばＷｉＦｉ）により、携帯端末５０との通信を行うことが好ましい。これにより、携帯端末５０は１つの無線方式におけるアクセスポイントからの信号のスキャン処理だけを行えばよいため、消費電力の低減あるいは処理速度の向上を実現できるためである。
【００２１】
携帯端末５０は、移動体通信を行うインタフェースの他に、例えばＷｉＦｉあるいはＢｌｕｅｔｏｏｔｈなどの無線通信インタフェースを備える携帯電話であって、ＷｉＦｉあるいはＢｌｕｅｔｏｏｔｈなどの無線通信インタフェース機能が動作を開始する、あるいは動作中であっても所定周期の到来等により、周辺のアクセスポイントからのブロードキャストメッセージをスキャンする。スキャンした結果、携帯端末５０が、通信用アクセスポイント４０から送信されるブロードキャストメッセージを受信すると、通信用アクセスポイント４０に接続してデータ通信を行う。また、携帯端末５０は、位置確認用アクセスポイント３１〜３６の通信範囲に移動するなどして、位置確認用アクセスポイント３１〜３６が送信するブロードキャストメッセージを受信すると、位置確認用アクセスポイント３１〜３６の識別子ＩＤ１〜ＩＤ６についても取得する。そして携帯端末５０は、取得した位置確認用アクセスポイント３１〜３６の識別子ＩＤ〜ＩＤ６を、通信用アクセスポイント４０を通じて、携帯端末５０自身の識別情報と共にコントローラ１０に報告する。
【００２２】
なお、上述の通り、携帯端末５０は、通信用アクセスポイント４０に接続中に位置確認用アクセスポイント３１〜３６からのブロードキャストメッセージを受信しても、各位置確認用アクセスポイント３１〜３６からの信号強度は弱いため、位置確認用アクセスポイント３１〜３６はハンドオーバ対象とはならず、より電波強度の強い通信用アクセスポイント４０を継続して接続先として選択することとなる。また、各位置確認用アクセスポイント３１〜３６からのブロードキャストメッセージは、その直下の所定範囲内でのみ検出できる程度の弱い信号強度でしか出力されていないため、携帯端末５０は位置確認用アクセスポイント３１〜３６からのブロードキャストメッセージを複数検出することは極力回避されている。しかしながら位置確認用アクセスポイント３１〜３６からのブロードキャストメッセージを複数検出出来てしまった場合には、そのうち、より信号強度の強い方のブロードキャストメッセージにおける識別情報をコントローラ１０に報告する。
【００２３】
なお、携帯端末５０は、位置確認用アクセスポイント３１〜３６からの各ブロードキャストメッセージに含まれる識別子の名称等に基づき、位置確認用アクセスポイント３１〜３６に接続しないよう明示的に設定することも可能である。この場合には、ＷｉＦｉあるいはＢｌｕｅｔｏｏｔｈなどの無線通信インタフェース機能におけるハンドオーバを司る携帯端末５０内のアプリケーションにおいて、位置確認用アクセスポイント３１〜３６に接続しないという旨の設定が保存されていればよい。
【００２４】
コントローラ１０は、携帯端末５０から報告された位置確認用アクセスポイント３１〜３６の識別子ＩＤ１〜ＩＤ６に応じて、ユーザ好みの照明パターンとなるように各灯具２１〜２６を制御するものである。当該制御のため、コントローラ１０の照明設定記憶部１１は、携帯端末５０のユーザ毎に、好みの照明パターンを記憶している。ここでいう「好み」とは、ユーザが各灯具２１〜２６に対し、携帯端末５０を用いて過去に行なった設定の情報とその時の時間帯の情報とを、携帯端末５０の識別情報と対応付けて蓄積記憶しておき、時間帯ごとによく使用されている調光および調色状態を計算して特定したものである。予め計算して特定しておいても良いし、都度、計算して特定しても良い。また、コントローラ１０の位置関係記憶部１２は、灯具２１〜２６と、位置確認用アクセスポイント３１〜３６との物理的な位置関係を記憶している。
【００２５】
コントローラ１０は、通信用アクセスポイント４０を通じて携帯端末５０より位置確認用アクセスポイント３１〜３６の識別子ＩＤ１〜ＩＤ６を受信すると、位置関係記憶部１２を参照し、照明パターンの制御対象となる灯具２１〜２６を判定する。また、コントローラ１０は、携帯端末５０の識別子により、携帯端末５０のユーザを判定し、照明設定記憶部１１から、当該ユーザの好みの照明パターンを取得する。これらの処理により、コントローラ１０は、制御対象となる灯具２１〜２６に対して、ユーザの好みの照明パターンを設定する。なお、照明設定記憶部１１および位置関係記憶部１２は、コントローラ１０に含まれて一体の装置として図１においては記載しているが、これは一例に過ぎず、ネットワークを介して接続されるサーバとしてコントローラ１０とは独立した装置であってもよい。
【００２６】
例えば、図１の場合、携帯端末５０は、通信用アクセスポイント４０と通信中に、位置確認用アクセスポイント３６の識別子ＩＤ６を取得すると、通信用アクセスポイント４０を通じて識別子ＩＤ６をコントローラ１０に携帯端末５０自身の識別情報と共に通知する。コントローラ１０の照明設定記憶部１１は、携帯端末５０のユーザの好みの照明パターンを記憶しており、位置関係記憶部１２は、位置確認用アクセスポイント３６と灯具２６との位置関係を記憶している。そのため、コントローラ１０は、例えば、灯具２６に対して、携帯端末５０のユーザの好みの照明パターンを設定することができる。
【００２７】
このように、本実施形態によれば、携帯端末５０は、位置確認用アクセスポイント３１〜３６の識別子ＩＤ１〜ＩＤ６を取得すると、通信用アクセスポイント４０を通じて、識別子ＩＤ１〜ＩＤ６および携帯端末５０自身の識別情報をコントローラ１０に送信し、コントローラ１０は、識別子ＩＤ１〜ＩＤ６を受信すると、位置関係記憶部１２が記憶する位置関係に基づき選択した灯具２１〜２６に対し、携帯端末５０のユーザ好みの照明パターンを設定する。これにより、ユーザの位置に応じて、ユーザ好みの照明パターンを自動的に設定することが可能となる。
【００２８】
また、位置確認用アクセスポイント３１〜３６と、通信用アクセスポイント４０とは、同じ無線方式により、携帯端末５０との通信を行う。これにより、携帯端末５０は１つの無線方式についてのみ処理を行えばよいため、消費電力の低減あるいは処理速度の向上を実現することができる。
【００２９】
本発明を諸図面および実施例に基づき説明してきたが、当業者であれば本開示に基づき種々の変形あるいは修正を行うことが容易であることに注意されたい。従って、これらの変形あるいは修正は本発明の範囲に含まれることに留意されたい。例えば、各構成部、各ステップなどに含まれる機能などは論理的に矛盾しないように再配置可能であり、複数の構成部あるいはステップなどを１つに組み合わせたり、或いは分割したりすることが可能である。
【００３０】
例えば、上記実施例では、１つの灯具に１つの位置確認用アクセスポイントを配置する構成として記載したが、複数の灯具を１つの位置確認用アクセスポイントに対応付けて配置し、複数の灯具をまとめてユーザの好みの設定状態に変更することも可能である。
【００３１】
また、上記実施例では、携帯端末のユーザの好みの照明パターンの設定を、位置確認用アクセスポイントに最も近い灯具に対してのみ行ったが、周囲に配置された灯具あるいは、部屋全体の灯具に対して照明パターンを行うことも可能である。
【００３２】
また、上記実施例では、コントローラにおいて、ユーザの好みの照明パターンの管理を行ったが、携帯端末５０の有するアプリケーション側でユーザの好みの設定情報を記憶しておき、位置確認用アクセスポイントの識別子と共に、ユーザ好みの照明パターンをコントローラ１０に対して通知することにより、ユーザの位置に対応する灯具に対してユーザの好みの調光あるいは調色の設定を行うよう構成することも可能である。
【００３３】
また、上記実施例では、位置確認用アクセスポイントを灯具とともに天井付近に配置したが、位置確認用アクセスポイントは、床、壁面、机の上など、任意の場所に配置することができる。
【００３４】
図２（ａ）は、机の上にシート状アンテナ６０を備える微弱出力の位置確認用アクセスポイントを配置した場合の一例を示す図である。ユーザが携帯端末５０を当該シート状アンテナ６０上に置くと、携帯端末５０は当該シート状アンテナ６０の識別子を取得し、通信用アクセスポイントを通じて当該識別子をコントローラに送信する。すなわち、シート状アンテナ６０からは、その上に載置された場合にようやく検出可能な程度の微弱な出力でブロードキャストメッセージを出力するよう構成する。また、コントローラはシート状アンテナ６０と灯具との位置関係、および携帯端末５０のユーザごとの好みの照明パターンを記憶しているため、例えば机の上の灯具の制御など、ユーザの着席位置に基づく調光及び調色を行うことができる。このような構成によれば、オフィス内のデスクを個人保有とはせず、その時々に自由にデスクを誰もが利用できるようなオフィスレイアウトであるフリーアドレスオフィスのような使用形態において、ユーザがどこのデスクに着席しようとも、着席したデスク位置に対応する灯具が常にユーザ好みの調光・調色設定となるようにすることが出来る。
【００３５】
図２（ｂ）は、壁スイッチ７０の近傍に位置確認用アクセスポイント（図示せず）を配置した場合の一例を示す図である。例えば、セキュリティが管理された室内には、セキュリティをクリアした限られたユーザしか入室することができない。そのため、壁スイッチ７０など、セキュリティをクリアしたユーザのみが到達できる場所に位置確認用アクセスポイントを設置することにより、たとえ携帯端末５０のアプリケーションにより当該室内の灯具を、当該ユーザの好みに応じて調光及び調色の設定変更する場合であっても、確実にセキュリティ性を担保することが可能となる。
【符号の説明】
【００３６】
１００  照明制御システム
１０  コントローラ
１１  照明設定記憶部
１２  位置関係記憶部
２１〜２６  灯具
３１〜３６  位置確認用アクセスポイント
４０  通信用アクセスポイント
５０  携帯端末
６０  シート状アンテナ
７０  壁スイッチ
【図１】
0005840449.tif 000002
【図２】
0005840449.tif 000003